(57)【要約】【課題】人が室内へ侵入することを検知して報知する換気装置もしくは風量や圧力などを検知してその情報を出力する換気装置を複数台用いて、建物全体への人の侵入、もしくは、建物全体の窓の開閉を検知して報知することを目的とする。【解決手段】少なくとも１つ以上の換気手段１と監視装置２を備え、少なくとも１つ以上の換気手段１は、部屋への人の侵入を検知してその情報を出力する情報出力手段３を備え、監視装置２は、少なくとも１つ以上の換気手段１が出力する情報を入力する情報入力手段３と、前記情報入力手段３から得た人の侵入検知情報をひとつにまとめて建物内へ人が侵入したことを表示する表示手段５と、情報入力手段３から得た人の侵入検知情報を報知する報知手段６とを備え、人の侵入検知をまとめて管理することにより、建物内に人が侵入したことを表示して知らせるとともに警備会社などに報知する監視システムが得られる。【選択図】図１ 
2005107642.tif 000002
【特許請求の範囲】
【請求項１】
少なくとも１つ以上の換気手段と監視装置を備え、前記少なくとも１つ以上の換気手段は、部屋への人の侵入を検知してその情報を出力する情報出力手段を備え、前記監視装置は、前記少なくとも１つ以上の換気手段が出力する情報を入力する情報入力手段と、前記情報入力手段から得た人の侵入検知情報をひとつにまとめて建物内へ人が侵入したことを表示する表示手段と、前記情報入力手段から得た人の侵入検知情報を報知する報知手段とを備えた監視システム。
【請求項２】
少なくとも１つ以上の換気手段と監視装置を備え、前記少なくとも１つ以上の換気手段は、部屋の窓の開閉を検知してその情報を出力する情報出力手段を備え、前記監視装置は、前記少なくとも１つ以上の換気手段が出力する情報を入力する情報入力手段と、前記情報入力手段から得た窓の開閉検知情報をひとつにまとめて建物内の窓の開閉状態を表示する表示手段と、前記情報入力手段から得た窓の開閉検知情報を報知する報知手段とを備えた監視システム。
【請求項３】
少なくとも１つ以上の換気手段からの出力情報に前記換気手段を特定する識別情報が含まれている請求項１または２記載の監視システム。
【請求項４】
換気手段の情報出力手段の出力情報に、人の侵入情報および検知もしくは測定可能な換気情報が含まれている請求項１または３記載の監視システム。
【請求項５】
換気手段の情報出力手段の出力情報に、窓の開閉情報および検知もしくは測定可能な換気情報が含まれている請求項２または３記載の監視システム。
【請求項６】
換気手段の換気情報に換気風量が含まれ、換気風量から風量変化を演算する風量変化演算手段と、風量変化の大きさから建物内への人の侵入を検知する侵入検知手段とを備えた請求項３または４記載の監視システム。
【請求項７】
換気手段の換気情報に圧力が含まれ、圧力から圧力変化を演算する圧力変化演算手段と、圧力変化の大きさから建物内への人の侵入を検知する侵入検知手段とを備えた請求項３または４記載の監視システム。
【請求項８】
換気手段の換気情報に換気風量が含まれ、換気風量の大きさから部屋の窓の開閉を検知する開閉検知手段を備えた請求項３または５記載の監視システム。
【請求項９】
建物内への人の侵入情報または窓の開閉情報を部屋毎に時間軸で記録する記録手段と、前記記録手段に記録した情報を部屋毎に呼び出す呼出手段とを備えた請求項１、２、３、４、５、６、７または８記載の監視システム。
【請求項１０】
建物内の部屋の構成と換気手段の構成を設定する部屋構成設定手段を備えた請求項１、２、３、４、５、６、７、８または９記載の監視システム。
【請求項１１】
建物内の部屋毎に検知条件を設定する検知条件設定手段を備えた請求項３、４、５、６、７、８、９または１０記載の監視システム。
【請求項１２】
建物内の各部屋に設置されている換気手段の検知感度を設定する感度設定手段を備えた請求項３、４、５、６、７、８、９、１０または１１記載の監視システム。
【請求項１３】
換気手段の情報出力手段と監視装置の情報入力手段に無線を用いた請求項１、２、３、４、５、６、７、８、９、１０、１１または１２記載の監視システム。
【請求項１４】
換気手段の情報出力手段と監視装置の情報入力手段に有線を用いた請求項１、２、３、４、５、６、７、８、９、１０、１１または１２記載の監視システム。
【請求項１５】
監視装置の報知手段に無線を用いた請求項１、２、３、４、５、６、７、８、９、１０、１１、１２、１３または１４記載の監視システム。
【請求項１６】
建物内に設置された少なくとも１つ以上の換気手段と、請求項１、２、３、４、５、６、７、８、９、１０、１１、１２、１３、１４または１５記載の少なくとも1つ以上の監視装置とを組合せ、建物内のどの部屋にいても同じ情報を表示して報知する監視システム。
【発明の詳細な説明】
【技術分野】
【０００１】
本発明は、換気手段の運転時の情報を利用して、人が建物内へ侵入したかどうか、または窓の開閉を検知して報知する建物全体の監視システムに関する。
【背景技術】
【０００２】
近年、住宅あるいはマンションなどを狙った空き巣や車上荒らしなどの犯罪が急増しており、特にひとり暮らしの居住者にとっては外出する機会も多く、より被害を受けやすい環境にある。このことから防犯に関する意識が高まっており、外出時に部屋に人が侵入したことを報知し、侵入者に対して威嚇することで心理的作用を生み、住居から追い出し空き巣からの被害を防ぐ防犯システムが重要となっている。そこで、住宅の各部屋に設置することが義務付けられている換気手段を利用して、建物全体の防犯システムが簡単で低コストで供給されることが求められている。
【０００３】
しかしながら、換気手段に防犯機能を搭載したものは考案されているものの、換気手段単体による一部屋の防犯は可能であるが、建物全体の防犯を行なうことはできない（例えば、特許文献１参照）。
【０００４】
以下、その防犯装置について図１７を参照しながら説明する。
【０００５】
図１７に示すように、空気排気装置１０１と、排気風路１０４に設けられた薄板１０２の位置変動により、これと電気的接点１０３とが接触することで不法侵入者の存在を検知する検知手段と、検知信号を警備会社へ連絡する通報手段とを備え、不法侵入により窓ガラスやドアを破壊あるいは開閉された時に、外部の空気を室内へ急激に吸引すれば、排気風路１０４に設けられた薄板１０２の位置が変動して電気的接点と接触することで検知し、その存在を警備会社に通報する。また、警報音を発生させることにより、不法侵入者を威嚇するものである。
【特許文献１】特開平１１−２５０３５９号公報
【発明の開示】
【発明が解決しようとする課題】
【０００６】
このような従来の換気手段では、１部屋の人の侵入を検知する防犯に対して有効であるが、建物全体に対する人の侵入を検知する防犯に対しては、部屋毎に設置した防犯機能付きの換気手段が個別に働くため、同じ建物内でありながら複数の情報が入り乱れることとなり、建物全体を一括して防犯することは難しい。
【０００７】
本発明は、このような従来の課題を解決するものであり、それぞれの換気手段からの防犯情報を一括して管理することで建物全体の防犯を行なう監視システムを提供することを目的としている。
【０００８】
また、このような従来の換気手段では、１部屋の窓の開閉を検知する戸締りには有効であるが、建物全体の窓の開閉を検知する戸締りに対しては、部屋毎に設置した少なくとも１つ以上の換気手段からの出力情報に前記換気手段を特定する識別情報が個別に働くため、同じ建物内でありながら複数の情報が入り乱れることとなり、建物全体の戸締りを一括して行なうことは難しい。
【０００９】
本発明は、このような従来の課題を解決するものであり、それぞれの換気手段からの戸締り情報を一括して管理することで建物全体の戸締りを行なう監視システムを提供することを目的としている。
【００１０】
また、このような従来の換気手段では、建物全体のどの部屋に人が侵入したか、さらに、人の侵入があった場合、その侵入者のいる可能性のある部屋を特定するすることができない。そのため、住民が侵入者を避けて避難もしくは通報などを行なうことが難しく、また、建物全体のどの部屋の窓が開いているかを特定することも容易ではない。
【００１１】
本発明は、このような従来の課題を解決するものであり、少なくとも１つ以上の換気手段からの出力情報に前記換気手段を特定する識別情報からの情報にどの換気手段かを特定する識別信号を加えることで、建物内のどの部屋に人が侵入したか、または、どの部屋の窓が開いているかを識別して報知する監視システムを提供することを目的としている。
【００１２】
また、このような従来の換気手段では、換気手段において検知もしくは測定した風量や圧力などの換気情報を防犯にしか利用しておらず、部屋の換気状態もしくは建物全体の換気状態を把握することに利用していない。
【００１３】
本発明は、このような従来の課題を解決するものであり、通常時は、少なくとも１つ以上の換気手段からの出力情報に前記換気手段を特定する識別情報からの換気情報を表示して、部屋毎の換気状態を一括して表示する監視システムを提供することを目的としている。
【００１４】
また、このような従来の換気手段では、換気手段に人の侵入検知機能が搭載されていなければ機能しない。さらには、換気手段毎に人の侵入検知機能を搭載する必要があった。
【００１５】
本発明は、このような従来の課題を解決するものであり、監視装置において、少なくとも１つ以上の換気手段からの出力情報に前記換気手段を特定する識別情報からの風量や圧力などの換気情報から人の侵入を検知して建物全体の防犯を行なう監視システムを提供することを目的としている。
【００１６】
また、このような従来の換気手段では、換気手段に窓の開閉検知機能が搭載されていなければ機能しない。さらには、換気手段毎に窓の開閉検知機能を搭載する必要があった。
【００１７】
本発明は、このような従来の課題を解決するものであり、監視装置において、少なくとも１つ以上の換気手段からの出力情報に前記換気手段を特定する識別情報からの風量などの換気情報から窓の開閉を検知して建物全体の戸締りを行なう監視システムを提供することを目的としている。
【００１８】
また、このような従来の換気手段では、不在時の建物内への人の侵入情報や窓の開閉情報の確認、さらには、部屋毎の換気状態を、必要なときに確認することができなかった。
【００１９】
本発明は、このような従来の課題を解決するものであり、少なくとも１つ以上の換気手段からの出力情報に前記換気手段を特定する識別情報からの情報を一括して時間軸で記憶し、必要なときに必要な情報を呼び出して表示により確認することができる監視システムを提供することを目的としている。
【００２０】
また、このような従来の換気手段では、建物内の部屋の構成や換気手段の設置場所に変更があった場合、監視する構成を変更することが容易ではない。
【００２１】
本発明は、このような従来の課題を解決するものであり、建物内の部屋の構成や換気手段の設置場所に合わせて、監視する構成を容易に変更できる監視システムを提供することを目的としている。
【００２２】
また、このような従来の換気手段では、建物内の部屋の大きさやの換気手段の能力が変わっても、人の侵入検知や窓の開閉検知の検知感度を調整することが容易ではない。
【００２３】
本発明は、このような従来の課題を解決するものであり、建物内の部屋の大きさや換気手段の能力に合わせて、人の侵入検知や窓の開閉検知の感度を個別に調整することができる監視システムを提供することを目的としている。
【００２４】
また、このような従来の換気手段では、人の侵入を検知する部屋と窓の開閉を検知する部屋を分けて一括して管理することができない。
【００２５】
本発明は、このような従来の課題を解決するものであり、建物内の換気手段の設置してある部屋毎に人の侵入もしくは窓の開閉を分けて監視することができる監視システムを提供することを目的としている。
【００２６】
また、このような従来の換気手段では、建物全体の防犯や戸締りに関する情報と換気情報が、建物内の場所によっては同様に得られない場合がある。
【００２７】
本発明は、このような従来の課題を解決するものであり、建物内のどの部屋においても防犯や戸締りに関する情報と換気に関する情報を共有することができる監視システムを提供することを目的としている。
【課題を解決するための手段】
【００２８】
本発明は上記目的を達成するために、少なくとも１つ以上の換気手段からの出力情報に前記換気手段を特定する識別情報と監視装置を備え、前記少なくとも１つ以上の換気手段からの出力情報に前記換気手段を特定する識別情報は、部屋への人の侵入を検知してその情報を出力する情報出力手段を備え、前記監視装置は、前記少なくとも１つ以上の換気手段からの出力情報に前記換気手段を特定する識別情報が出力する情報を入力する情報入力手段と、前記情報入力手段から得た人の侵入検知情報をひとつにまとめて建物内へ人が侵入したことを表示する表示手段と、前記情報入力手段から得た人の侵入検知情報を報知する報知手段とを備えた構成としたものである。
【００２９】
この手段により、少なくとも１つ以上の換気手段からの出力情報に前記換気手段を特定する識別情報による人の侵入検知情報をまとめて監視することで、検知情報が重複することなく建物全体の人の侵入を検知して報知する監視システムが得られる。
【００３０】
さらに、他の手段は、少なくとも１つ以上の換気手段からの出力情報に前記換気手段を特定する識別情報と監視装置を備え、前記少なくとも１つ以上の換気手段からの出力情報に前記換気手段を特定する識別情報は、部屋の窓の開閉を検知してその情報を出力する情報出力手段を備え、前記監視装置は、前記少なくとも１つ以上の換気手段からの出力情報に前記換気手段を特定する識別情報が出力する情報を入力する情報入力手段と、前記情報入力手段から得た窓の開閉検知情報をひとつにまとめて建物内の窓の開閉状態を表示する表示手段と、前記情報入力手段から得た窓の開閉検知情報を報知する報知手段とを備えた構成としたものである。
【００３１】
この手段により、少なくとも１つ以上の換気手段からの出力情報に前記換気手段を特定する識別情報による窓の開閉検知情報をまとめて監視することで、検知情報が重複することなく建物全体の窓の開閉を検知して報知する監視システムが得られる。
【００３２】
さらに、他の手段は、少なくとも少なくとも１つ以上の換気手段からの出力情報に前記換気手段を特定する識別情報からの出力情報に前記換気手段を特定する識別情報が含まれている構成としたものである。
【００３３】
この手段により、人の侵入や窓の開閉を検知した換気手段を特定することが可能となり、建物内のどの部屋に人が侵入したか、もしくは、どの部屋の窓が開いているかを特定し検知して報知する監視システムが得られる。
【００３４】
さらに、他の手段は、換気手段の情報出力手段の出力情報に、人の侵入情報および検知もしくは測定可能な換気情報が含まれている構成としたものである。
【００３５】
この手段により、建物内への人の侵入検知と換気手段において検知可能な情報をまとめて管理することで、建物内への人の侵入検知と各部屋の換気状態を合わせて表示して報知する監視システムが得られる。
【００３６】
さらに、他の手段は、換気手段の情報出力手段の出力情報に、窓の開閉情報および検知もしくは測定可能な換気情報が含まれている構成としたものである。
【００３７】
この手段により、建物内の窓の開閉検知と換気手段において検知可能な情報をまとめて管理することで、建物内の窓の開閉検知と各部屋の換気状態を合わせて表示して報知する監視システムが得られる。
【００３８】
また、他の手段は、換気手段の換気情報に換気風量が含まれ、換気風量から風量変化を演算する風量変化演算手段と、風量変化の大きさから建物内への人の侵入を検知する侵入検知手段とを備えた構成としたものである。
【００３９】
この手段により、換気手段に人の侵入を検知する機能が無くても、風量を含んだ換気情報を出力する手段を備えた換気手段を使用することにより、人の侵入を検知し報知する監視システムが得られる。
【００４０】
さらに、他の手段は、換気手段の換気情報に圧力が含まれ、圧力から圧力変化を演算する圧力変化演算手段と、圧力変化の大きさから建物内への人の侵入を検知する侵入検知手段とを備えた構成としたものである。
【００４１】
この手段により、換気手段に人の侵入を検知する機能が無くても、圧力を含んだ換気情報を出力する手段を備えた換気手段を使用することにより、人の侵入を検知し報知する監視システムが得られる。
【００４２】
また、他の手段は、換気手段の換気情報に換気風量が含まれ、換気風量の大きさから部屋の窓の開閉を検知する開閉検知手段を備えた構成としたものである。
【００４３】
この手段により、換気手段に窓の開閉を検知する機能が無くても、風量を含んだ換気情報を出力する手段を備えた換気手段を使用することにより、窓の開閉を検知し報知する監視システムが得られる。
【００４４】
また、他の手段は、建物内への人の侵入情報または窓の開閉情報を部屋毎に時間軸で記録する記録手段と、前記記録手段に記録した情報を部屋毎に呼び出す呼出手段とを備えた構成としたものである。
【００４５】
この手段により、部屋の換気状態や侵入者の進入経路や建物の戸締りの状況などを記憶し、必要なときに必要な情報を時間軸でまとめて表示し、必要な情報を必要なときに確認することができる監視システムが得られる。
【００４６】
また、他の手段は、建物内の部屋の構成と換気手段の構成を設定する部屋構成設定手段を備えた構成としたものである。
【００４７】
この手段により、建物内の部屋の構成や換気手段の構成が変更されても、建物内の部屋の構成や換気手段の構成の変更に合わせて、容易に監視する構成を変更することができる監視システムが得られる。
【００４８】
また、他の手段は、建物内の部屋毎に検知条件を設定する検知条件設定手段を備えた構成としたものである。
【００４９】
この手段により、部屋への人の侵入を検知する場合と部屋の窓の開閉を検知する場合を、建物内の部屋毎に設定することができる監視システムが得られる。
【００５０】
また、他の手段は、建物内の各部屋に設置されている換気手段の検知感度を設定する感度設定手段を備えた構成としたものである。
【００５１】
この手段により、人の侵入を検知する感度や部屋の窓の開閉を検知する感度を、建物内の部屋の大きさや換気手段の性能に合わせて、個別に検知感度の設定をすることができる監視システムが得られる。
【００５２】
また、他の手段は、換気手段の情報出力手段と監視装置の情報入力手段に無線を用いた構成としたものである。
【００５３】
この手段により、換気手段と監視装置の間に通信線を必要とせず、また、建物内のどこの部屋にも持ち運ぶことができ、また、外出時にも持ち運ぶことができる監視システムが得られる。
【００５４】
また、他の手段は、換気手段の情報出力手段と監視装置の情報入力手段に有線を用いた構成としたものである。
【００５５】
この手段により、建物内の少なくとも１つ以上の換気手段からの出力情報に前記換気手段を特定する識別情報を特定する識別を、通信線の接続する位置により行なうことができる監視システムが得られる。
【００５６】
また、他の手段は、監視装置の報知手段に無線を用いた構成としたものである。
【００５７】
この手段により、人の侵入を検知したときや窓の開閉を検知したときに、携帯電話などの通信線の無い機器に対して報知する監視システムが得られる。
【００５８】
また、他の手段は、建物内に設置された少なくとも１つ以上の換気手段からの出力情報に前記換気手段を特定する識別情報と、請求項１、２、３、４、５、６、７、８、９、１０、１１、１２、１３、１４、１５記載の少なくとも１つ以上の監視装置とを組合せた構成としたものである。
【００５９】
この手段により、建物内のすべての部屋に監視装置を設置することができ、また、複数の人が監視装置を持ち運ぶことも可能となり、建物内のどこの部屋にいても複数の人が同様の情報を共有することができる監視システムが得られる。
【発明の効果】
【００６０】
本発明によれば、少なくとも１つ以上の換気手段からの出力情報に前記換気手段を特定する識別情報による人の侵入検知情報をまとめて監視することで、検知情報が重複することなく建物全体の人の侵入を検知して報知する監視システムを提供できる。
【００６１】
また、少なくとも１つ以上の換気手段からの出力情報に前記換気手段を特定する識別情報による窓の開閉検知情報をまとめて監視することで、検知情報が重複することなく建物全体の窓の開閉を検知して報知する監視システムを提供できる。
【００６２】
また、人の侵入や窓の開閉を検知した換気手段を特定することで、建物内のどの部屋に人が侵入したか、もしくは、どの部屋の窓が開いているかを特定し検知して報知する監視システムを提供できる。
【００６３】
また、建物内への人の侵入検知と換気手段により検知可能な換気情報をまとめて管理することで、建物内への人の侵入検知と各部屋の換気状態を合わせて表示して報知する監視システムを提供できる。
【００６４】
また、建物内の窓の開閉検知と換気手段により検知可能な換気情報をまとめて管理することで、建物内の窓の開閉検知と各部屋の換気状態を合わせて表示して報知する監視システムを提供できる。
【００６５】
また、換気手段に人の侵入を検知する機能が無くても、風量を含んだ換気情報を出力する手段を備えた換気手段を使用することにより、人の侵入を検知し報知する監視システムを提供できる。
【００６６】
また、換気手段に人の侵入を検知する機能が無くても、圧力を含んだ換気情報を出力する手段を備えた換気手段を使用することにより、人の侵入を検知し報知する監視システムを提供できる。
【００６７】
また、換気手段に窓の開閉を検知する機能が無くても、風量を含んだ換気情報を出力する手段を備えた換気手段を使用することにより、窓の開閉を検知し報知する監視システムを提供できる。
【００６８】
また、部屋の換気状態や侵入者の進入経路や建物の戸締りの状況などを記憶し、必要なときに必要な情報を時間軸でまとめて表示し、必要な情報を必要なときに確認することができる監視システムを提供できる。
【００６９】
また、建物内の部屋の構成や換気手段の構成が変更されても、建物内の部屋の構成や換気手段の構成の変更に合わせて、容易に監視する構成を変更することができる監視システムを提供できる。
【００７０】
また、部屋への人の侵入を検知する場合と部屋の窓の開閉を検知する場合を、建物内の部屋毎に設定することができる監視システムを提供できる。
【００７１】
また、人の侵入を検知する感度や部屋の窓の開閉を検知する感度を、建物内の部屋の大きさや換気手段の性能に合わせて、個別に検知感度の設定をすることができる監視システムを提供できる。
【００７２】
また、換気手段と監視装置の間に通信線を必要とせず、また、建物内のどこの部屋にも持ち運ぶことができ、また、外出時にも持ち運ぶことができる監視システムを提供できる。
【００７３】
また、建物内の少なくとも１つ以上の換気手段からの出力情報に前記換気手段を特定する識別情報を特定する識別を、通信線の接続する位置により行なうことができる監視システムを提供できる。
【００７４】
また、人の侵入を検知したときや窓の開閉を検知したときに、携帯電話などの通信線の無い機器に対して報知する監視システムを提供できる。
【００７５】
また、建物内のすべての部屋に監視装置を設置することができ、また、複数の人が監視装置を持ち運ぶことも可能となり、建物内のどこの部屋にいても複数の人が同様の情報を共有することができる監視システムを提供できる。
【発明を実施するための最良の形態】
【００７６】
本発明の請求項１記載の発明は、少なくとも１つ以上の換気手段からの出力情報に前記換気手段を特定する識別情報と監視装置を備え、前記少なくとも１つ以上の換気手段からの出力情報に前記換気手段を特定する識別情報は、部屋への人の侵入を検知してその情報を出力する情報出力手段を備え、前記監視装置は、前記少なくとも１つ以上の換気手段からの出力情報に前記換気手段を特定する識別情報が出力する情報を入力する情報入力手段と、前記情報入力手段から得た人の侵入検知情報をひとつにまとめて建物内へ人が侵入したことを表示する表示手段と、前記情報入力手段から得た人の侵入検知情報を報知する報知手段とを備え、監視装置において少なくとも１つ以上の換気手段からの出力情報に前記換気手段を特定する識別情報の人の侵入検知情報をまとめて監視することで、検知情報が重複することなく建物全体の人の侵入を検知するという作用を有する。
【００７７】
また、少なくとも１つ以上の換気手段からの出力情報に前記換気手段を特定する識別情報と監視装置を備え、前記少なくとも１つ以上の換気手段からの出力情報に前記換気手段を特定する識別情報は、部屋の窓の開閉を検知してその情報を出力する情報出力手段を備え、前記監視装置は、前記少なくとも１つ以上の換気手段からの出力情報に前記換気手段を特定する識別情報が出力する情報を入力する情報入力手段と、前記情報入力手段から得た窓の開閉検知情報をひとつにまとめて建物内の窓の開閉状態を表示する表示手段と、前記情報入力手段から得た窓の開閉検知情報を報知する報知手段とを備え、監視装置において少なくとも１つ以上の換気手段からの出力情報に前記換気手段を特定する識別情報の窓の開閉検知情報をまとめて監視することで、検知情報が重複することなく建物全体の窓の開閉を検知するという作用を有する。
【００７８】
また、換気手段からの出力情報に換気手段を特定する識別情報が含まれている構成とし、監視装置において人の侵入や窓の開閉を検知した換気手段を識別することで、建物内のどの部屋に人が侵入したか、もしくは、どの部屋の窓が開いているかを特定して検知するという作用を有する。
【００７９】
また、換気手段の情報出力手段に、人の侵入情報および検知もしくは測定可能な換気情報が含まれている構成とし、監視装置において建物内への人の侵入検知と換気手段において検知可能な情報をまとめて管理することで、建物内への人の侵入検知と各部屋の換気状態を合わせて表示するという作用を有する。
【００８０】
また、換気手段の情報出力手段に、窓の開閉情報および検知もしくは測定可能な換気情報が含まれている構成とし、監視装置において建物内の窓の開閉検知と換気手段において検知可能な情報をまとめて管理することで、建物内の窓の開閉検知と各部屋の換気状態を合わせて表示するという作用を有する。
【００８１】
また、換気手段の換気情報に換気風量が含まれ、換気風量から風量変化を演算する風量変化演算手段と、風量変化の大きさから建物内への人の侵入を検知する侵入検知手段とを備え、換気手段に人の侵入を検知する機能が無くても、風量を含んだ換気情報を出力する手段を備えた換気手段を使用することにより、監視装置において人の侵入を検知するという作用を有する。
【００８２】
また、換気手段の換気情報に圧力が含まれ、圧力から圧力変化を演算する圧力変化演算手段と、圧力変化の大きさから建物内への人の侵入を検知する侵入検知手段とを備え、換気手段に人の侵入を検知する機能が無くても、圧力を含んだ換気情報を出力する手段を備えた換気手段を使用することにより、監視装置において人の侵入を検知するという作用を有する。
【００８３】
また、換気手段の換気情報に換気風量が含まれ、換気風量の大きさから部屋の窓の開閉を検知する開閉検知手段を備え、換気手段に窓の開閉を検知する機能が無くても、風量を含んだ換気情報を出力する手段を備えた換気手段を使用することにより、監視装置において窓の開閉を検知するという作用を有する。
【００８４】
また、建物内への人の侵入情報または窓の開閉情報を部屋毎に時間軸で記録する記録手段と、前記記録手段に記録した情報を部屋毎に呼び出す呼出手段とを備え、監視装置において部屋の換気状態や侵入者の進入経路や建物の戸締りの状況などを記憶し、必要なときに必要な情報を時間軸でまとめて表示し、必要な情報を必要なときに確認できるという作用を有する。
【００８５】
また、建物内の部屋の構成と換気手段の構成を設定する部屋構成設定手段を備え、建物内の部屋の構成や換気手段の設置場所や構成が変更されても、建物内の部屋の構成や換気手段の設置場所や構成の変更に合わせて、監視装置において容易に構成を変更できるという作用を有する。
【００８６】
また、建物内の部屋毎に検知条件を設定する検知条件設定手段を備え、部屋への人の侵入を検知する場合と部屋の窓の開閉を検知する場合を、監視装置において建物内の部屋毎に設定できるという作用を有する。
【００８７】
また、建物内の各部屋に設置されている換気手段の検知感度を設定する感度設定手段を備え、人の侵入を検知する感度や部屋の窓の開閉を検知する感度を、建物内の部屋の大きさや換気手段の性能に合わせて、監視装置において個別に検知感度の設定ができるという作用を有する。
【００８８】
また、換気手段の情報出力手段と監視装置の情報入力手段に無線を用いた構成とし、換気手段と監視装置の間に通信線を必要とせず、また、監視装置を建物内のどこの部屋にも持ち運ぶことができ、また、外出時にも持ち運ぶことができるという作用を有する。
【００８９】
また、換気手段の情報出力手段と監視装置の情報入力手段に有線を用いた構成とし、建物内の少なくとも１つ以上の換気手段からの出力情報に前記換気手段を特定する識別情報を識別し特定することを、監視装置の通信線を接続する位置により行なうことができるという作用を有する。
【００９０】
また、監視装置の報知手段に無線を用いた構成とし、人の侵入を検知したときや窓の開閉を検知したときに、携帯電話などの通信線の無い機器に対して報知するという作用を有する。
【００９１】
また、建物内に設置された少なくとも１つ以上の換気手段からの出力情報に前記換気手段を特定する識別情報と、請求項１、２、３、４、５、６、７、８、９、１０、１１、１２、１３、１４、１５記載の少なくとも１つ以上の監視装置とを組合せた構成とし、建物内のすべての部屋に監視装置を設置することができ、また、複数の人が監視装置を持ち運ぶことも可能となり、建物内のどこの部屋にいても複数の人が同様の情報を共有することができるという作用を有する。
【００９２】
以下、本発明の実施の形態について図面を参照しながら説明する。
【００９３】
（実施の形態１）
図１に示すように、本発明の監視システムは、少なくとも１つ以上の換気手段からの出力情報に前記換気手段を特定する識別情報１と監視装置２を備え、前記少なくとも１つ以上の換気手段からの出力情報に前記換気手段を特定する識別情報１は、部屋への人の侵入を検知してその情報を出力する情報出力手段３を備え、前記監視装置２は、前記少なくとも１つ以上の換気手段からの出力情報に前記換気手段を特定する識別情報１が出力する情報を入力する情報入力手段４と、前記情報入力手段４から得た人の侵入検知情報をひとつにまとめて建物内へ人が侵入したことを表示する表示手段５と、前記情報入力手段４から得た人の侵入検知情報を報知する報知手段６とを備えた構成とする。
【００９４】
上記構成において、少なくとも１つ以上の換気手段からの出力情報に前記換気手段を特定する識別情報１から人の侵入検知の情報を、監視装置２にまとめることで建物全体における人の侵入を検知して表示手段５に表示し、音などの報知手段６により人もしくは警備会社などに連絡することとなる。
【００９５】
また、上記構成において、換気手段１から人の侵入検知に変わって、窓の開閉検知を出力すれば、建物全体の戸締り状態を検知して表示手段５による表示と合わせて音などの報知手段６により人に知らせることとなる。
【００９６】
また、上記構成において、換気手段１の人の侵入検知と併せて換気手段１を特定する識別信号が含まれていることにより、建物全体の監視だけではなく建物のどの部屋に人が侵入したかを建物内の部屋の構成に合わせて表示手段５に表示し、音などの報知手段６により人もしくは警備会社に報知することとなる。
【００９７】
また、上記構成において、換気手段１の窓の開閉検知と併せて換気手段１を特定する識別信号が含まれていることにより、建物内のどの部屋の窓が開閉しているかを建物内の部屋の構成に合わせて表示手段５に表示し、音などの報知手段６による警報により人に知らせることが可能となる。
【００９８】
また、上記構成において、人の侵入情報と併せて換気手段１において検知もしくは測定可能な風量や圧力などの換気情報が含まれていることにより、表示手段５に建物内の部屋毎の換気状態を表示し、場合によっては、人に音などの報知手段６により知らせることとなる。
【００９９】
また、上記構成において、窓の開閉情報と併せて換気手段１において検知もしくは測定可能な風量や圧力などの換気情報が含まれていることにより、表示手段５に建物内の部屋毎の換気状態を表示し、場合によっては、人に音などの報知手段６により知らせることとなる。
【０１００】
（実施の形態２）
図２に示すように、監視装置２の内部に、換気手段１から出力される換気情報に風量が含まれていることにより、風量の変化量を演算する風量変化演算手段７と、風量変化の大きさから建物内に人が侵入したことを検知する侵入検知手段８とを備えた構成とする。
【０１０１】
上図のように構成した監視装置２の動作について、図２と図３を参照しながら説明する。まず、監視装置２を起動してから、風量変化演算手段７において、ステップ３１で待機時間「Ｔ１」経過後、つまり風量が一定になった後、ステップ３２で情報入力手段４から得た風量「Ｑ１」を記憶する。その後、ステップ３３で所定時間「Ｔ２」経過後、ステップ３４で情報入力手段４から得た風量「Ｑ２」を記憶する。そして、ステップ３５で風量「Ｑ１」と「Ｑ２」との差の絶対値｜Ｑ１−Ｑ２｜を演算する。侵入検知手段８において、風量変化演算手段７の演算結果を設定値と比較して小さければ、ステップ３６において風量「Ｑ１」を「Ｑ２」として現時点での風量を更新する。その後ステップ３３に戻り、ステップ３５にて風量変化量が設定値を超えるまでは同じ動作を繰り返す。一方、演算結果が設定値より大きければ、人の侵入を検知して、ステップ３７で表示信号にして表示手段５に表示し、ステップ３８で報知信号にして報知手段６により報知する。ただし、ステップ３７とステップ３８の順番が入れ替わっても同様の効果を発揮する。
【０１０２】
また、ステップ３２とステップ３４の記憶する風量の値とステップ３５の設定値は、待機時間「Ｔ１」もしくは所定時間「Ｔ２」よりも短い周期で入力される風量の平均値または移動平均値または積分値であっても同様の効果を発揮する。
【０１０３】
上記構成において、監視システムは、人の侵入を検知する機能の無い少なくとも１つ以上の換気手段からの出力情報に前記換気手段を特定する識別情報１の換気情報である風量から、建物内のどの部屋へ人が侵入したかを検知することが可能となる。これにより、風量を検知して出力するような換気扇やレンジフードなどの換気手段１に人の侵入検知機能を付加することとなる。
【０１０４】
（実施の形態３）
図４に示すように、監視装置２の内部に、換気手段１から出力される換気情報に圧力が含まれていた場合において、圧力の変化量を演算する圧力変化演算手段９と、圧力変化の大きさから建物内に人が侵入したことを検知する侵入検知手段１０とを備えた構成とする。
【０１０５】
上図のように構成した監視装置２の動作について、図４と図５を参照しながら説明する。まず、監視装置２を起動してから、圧力変化演算手段９において、ステップ３１で待機時間「Ｔ１」経過後、つまり圧力が一定になった後、ステップ４１で情報入力手段４から得た圧力「Ｐ１」を記憶する。その後、ステップ３３で所定時間「Ｔ２」経過後、ステップ４２で情報入力手段４から得た圧力「Ｐ２」を記憶する。そして、ステップ４３で圧力「Ｐ１」と「Ｐ２」との差の絶対値｜Ｐ１−Ｐ２｜を演算する。侵入検知手段１０において、圧力変化演算手段９の演算結果を設定値と比較して小さければ、ステップ４４において圧力「Ｐ１」を「Ｐ２」として現時点での圧力を更新する。その後ステップ３３に戻り、ステップ４３にて圧力変化量が設定値を超えるまでは同じ動作を繰り返す。一方、演算結果が設定値より大きければ、人の侵入を検知して、ステップ３７で表示信号にして表示手段５に表示し、ステップ３８で報知信号にして報知手段６により報知する。ただし、ステップ３７とステップ３８の順番が入れ替わっても同様の効果を発揮する。
【０１０６】
また、ステップ４１とステップ４２の記憶する圧力の値とステップ４３の設定値は、待機時間「Ｔ１」もしくは所定時間「Ｔ２」よりも短い周期で入力される圧力の平均値または移動平均値または積分値であっても同様の効果を発揮する。
【０１０７】
上記構成において、監視システムは、人の侵入を検知する機能の無い換気手段１の換気情報である圧力から、建物内のどの部屋へ人が侵入したかを検知することが可能となる。これにより、圧力を検知して出力するような換気扇やレンジフードなどの換気手段１に人の進入検知機能を付加することとなる。
【０１０８】
（実施の形態４）
図６に示すように、監視装置２の内部に、換気手段１から出力される換気情報に含まれた風量から、風量の大きさを比較して建物内の窓の開閉を検知する開閉検知手段１１を備えた構成とする。
【０１０９】
上図のように構成した監視装置２の動作について、図６と図７を参照しながら説明する。まず、監視装置２を起動してから、開閉検知手段１１において、ステップ５１で待機時間「Ｔ３」経過後、つまり風量が一定になるまで待機する。ステップ５２で所定時間「Ｔ４」経過後、ステップ５３で情報入力手段４から得た風量「Ｑ３」を記憶する。そして、ステップ５４で風量「Ｑ３」と窓が開いている状態の風量を設定した設定値と比較して小さければ、ステップ５５において、窓が閉まっていることを表示信号により表示する。その後ステップ５２に戻り、ステップ５４にて風量の大きさが設定値を超えるまでは同じ動作を繰り返す。一方、風量が設定値より大きければ、窓が開いていることを検知して、ステップ５６で窓が開いていることを表示信号にして表示手段５に表示し、ステップ５７で報知信号にして報知手段６により報知する。ただし、ステップ５６とステップ５７の順番が入れ替わっても同様の効果を発揮する。
【０１１０】
また、ステップ５４における風量「Ｑ３」と設定値の比較において、風量「Ｑ３」と比較する設定値が窓を閉じているときの風量の大きさであっても同様の効果を発揮する。
【０１１１】
また、ステップ５３の記憶する風量の値とステップ５４の風量の設定値は、所定時間「Ｔ４」よりも短い周期で入力される圧力の平均値または移動平均値または積分値であっても同様の効果を発揮する。
【０１１２】
上記構成において、監視システムは、換気手段１の換気情報である風量の大きさから建物内の窓の開閉を検知することが可能となり、換気手段１に窓の開閉を検出する機器ではなく、風量などを出力することが可能な一般的な換気扇やレンジフードなどの換気手段１に窓の開閉検知機能を付加することが可能となる。
【０１１３】
（実施の形態５）
図８に示すように、監視装置２の内部に、換気手段１からの換気情報や人の侵入情報や窓の開閉情報を時間軸で記憶する記憶手段１２と、前記記憶手段に記憶した情報を時間軸により呼び出す呼出手段１３とを備えた構成とする。
【０１１４】
図８において記憶手段１２は、一定時間毎に情報入力手段４に入力される換気手段１の情報や人の侵入情報や窓の開閉情報を時間毎に記憶している。なお、図には示していないが、前記記憶手段１２に記憶する情報には、監視装置２の内部の風量変化演算手段７や圧力変化演算手段９で演算された値、また、侵入検知手段９や侵入検知手段１０や開閉検知手段１１で検知した情報も記憶する。呼出手段１３は、指定した情報を指定した時間軸において呼び出し、表示手段５に表示するもである。表示方法については、建物の部屋の構成に合わせた見取り図の形態で表示したり、数値や文字の羅列による表示、または、グラフ上に表示、さらに、人の侵入した部屋の順序、または、アニメーションによる表示など使用者に情報を伝える方法であれば、同様の効果を発揮する。
【０１１５】
上記構成において、監視システムは、過去の部屋毎の換気情報や不在時の人の侵入情報または窓の開閉情報、さらには人の侵入経路の把握などの確認が可能となる。
【０１１６】
（実施の形態６）
図９に示すように、監視装置２の内部に、建物の部屋の構成と換気手段１の設置場所を変更または再設定することができる部屋構成設定手段１４を備えた構成とする。
【０１１７】
上図のように構成した監視装置２の動作について図９から図１１を参照しながら説明する。図９に示すように、部屋構成設定手段１４は、建物内の部屋の構成や換気手段１の位置を記憶手段１２から呼び出して表示手段５に表示する。表示手段５の表示を見ながら部屋の構成や換気手段１の構成を変更し設定して、再び記憶手段１２に記憶する。例えば、図１０に示すように、設定されていた部屋の構成や換気手段１の構成を表示手段５に呼び出し表示して、図１１に示すように部屋の構成と換気手段１の構成を表示手段５の表示を見ながら変更する。
【０１１８】
上記構成において、監視システムは、建物内の部屋の構成変更や換気手段１の変更などがあった場合でも、容易に監視する構成を変更することが可能となる。
【０１１９】
（実施の形態７）
図１２に示すように、監視装置２の内部に、建物内の部屋毎に人の侵入を検知するモードと窓の開閉を検知するモードを設定する検知条件設定手段１５を備えた構成とする。
【０１２０】
上図のように構成した監視装置２の動作について図１２と図１３を参照しながら説明する。図１３に示すように、検知条件設定手段１５は、換気手段１の検知条件を記憶手段１２から呼び出して表示手段５に表示する。表示手段５の表示を見ながら各部屋の換気手段１の検知条件を設定して、再び記憶手段１２に記憶する。例えば、図１３に示すように、部屋１と部屋２は窓の開閉を検知するモードに、部屋３と部屋４は人の侵入を検知するモードにと部屋毎に検知する条件を表示手段５の表示を見ながら設定する。
【０１２１】
上記構成において、監視システムは、建物内の未使用の部屋と使用している部屋もしくは窓を開けて換気している部屋毎に検知する条件を個別に設定することで、建物全体の部屋毎に検知条件を分けて監視をすることが可能となる。
【０１２２】
（実施の形態８）
図１４に示すように、監視装置２の内部に、建物内の部屋毎に人の侵入を検知する感度または窓の開閉を検知する検知感度を部屋毎に設定する感度設定手段１６を備えた構成とする。
【０１２３】
上図のように構成した監視装置２の動作について図１３と図１４を参照しながら説明する。図１４に示すように、感度設定手段１６は、換気手段１の検知感度を記憶手段１２から呼び出して表示手段５に表示する。表示手段５の表示を見ながら各部屋の換気手段１の検知感度を設定して、再び記憶手段１２に記憶する。例えば、図１３に示すように、部屋１から部屋４の検知感度を部屋毎に表示手段５の表示を見ながら設定する。
【０１２４】
上記構成において、監視システムは、建物内の未使用の部屋と使用している部屋もしくは窓を開けて換気している部屋毎に検知する感度を変更または設定が可能となる。また、換気手段１の汚れなどの風量低下よる検知感度の低下を調整して修正することが可能となる。
【０１２５】
（実施の形態９）
図１５に示すように、換気手段１の情報出力手段３と監視装置２の情報入力手段４は無線を用いた構成とする。なお、無線には、電波や赤外線など電線を使用しないものとする。なお、実施の形態９では、情報出力手段３、情報入力手段４に無線を用いたが、通信方法などに限定されず、その作用効果に差異は生じない。
【０１２６】
上記構成において、監視装置２は、建物内のひとつの場所に設置する必要は無く、持ち歩きが可能となり、建物内のどこの部屋にいても、さらには、建物の外においても、情報を入手可能となる。その結果、建物に人が侵入しても、監視装置２の表示手段５の表示を確認しながら侵入者に遭遇することなく建物外に避難しつつ、警察などに連絡をとることが可能となる。また、報知手段６から生活音などを出すことで侵入者を威嚇し追い出すことも可能となる。
【０１２７】
（実施の形態１０）
図１６に示すように、少なくとも１つ以上の換気手段からの出力情報に前記換気手段を特定する識別情報１と少なくとも１つ以上の監視装置２により、監視システムを組む構成とする。この監視システムは、建物内のすべての部屋に同じ情報を得ることが可能となる。
【０１２８】
上記構成において、この監視システムは、建物内のどこの部屋にいてもその情報を入手可能となる。その結果、建物に人が侵入しても、監視装置２の表示手段５の表示を確認しながら侵入者に遭遇することなく建物外に避難しつつ、警察などに連絡をとることが可能となる。また、報知手段６から生活音などを出すことで侵入者を威嚇し追い出すことも可能となる。
【産業上の利用可能性】
【０１２９】
本発明の監視装置は、換気風量などを検知もしくは測定して出力できる換気扇等の換気手段を複数台まとめて監視することで、侵入者や窓の開閉を検知することができ、住宅あるいは店舗全体の防犯システム等の用途にも適用できる。
【図面の簡単な説明】
【０１３０】
【図１】本発明の実施の形態１の監視システムの構成図
【図２】本発明の実施の形態２の監視システムの構成図
【図３】同監視システムの動作を示すフローチャート
【図４】本発明の実施の形態３の監視システムの構成図
【図５】同監視システムの動作を示すフローチャート
【図６】本発明の実施の形態４の監視システムの構成図
【図７】同監視システムの動作を示すフローチャート
【図８】本発明の実施の形態５の監視システムの構成図
【図９】本発明の実施の形態６の監視システムの構成図
【図１０】同監視システムの部屋の構成変更前の表示図
【図１１】同監視システムの部屋の構成変更後の表示図
【図１２】本発明の実施の形態７の監視システムの構成図
【図１３】同監視システムの部屋毎の表示図
【図１４】本発明の実施の形態８の監視システムの構成図
【図１５】本発明の実施の形態９の監視システムの構成図
【図１６】本発明の実施の形態１０の監視システムの構成図
【図１７】従来の防犯装置を示す構成図
【符号の説明】
【０１３１】
１  換気手段
２  監視装置
３  情報出力手段
４  情報入力手段
５  表示手段
６  報知手段
７  風量変化演算手段
８  侵入検知手段
９  圧力変化演算手段
１０  侵入検知
１１  開閉検知手段
１２  記憶手段
１３  呼出手段
１４  部屋構成設定手段
１５  検知条件設定手段
１６  感度設定手段
【図１】
2005107642.tif 000003
【図２】
2005107642.tif 000004
【図３】
2005107642.tif 000005
【図４】
2005107642.tif 000006
【図５】
2005107642.tif 000007
【図６】
2005107642.tif 000008
【図７】
2005107642.tif 000009
【図８】
2005107642.tif 000010
【図９】
2005107642.tif 000011
【図１０】
2005107642.tif 000012
【図１１】
2005107642.tif 000013
【図１２】
2005107642.tif 000014
【図１３】
2005107642.tif 000015
【図１４】
2005107642.tif 000016
【図１５】
2005107642.tif 000017
【図１６】
2005107642.tif 000018
【図１７】
2005107642.tif 000019